(57)【要約】【課題】１件あたりの処理時間が人間系審査に比較して著しく短縮できる入場管理システムを提供する。【解決手段】事前に読取装置２１により旅券１１の読取りを行なってから、入場対象エリアである搭乗待合室２４（審査装置２３）に向かって入場者Ｍが移動する間にカメラ２６で顔画像を取得し、旅券１１から読取った顔画像とカメラ２６で取得した顔画像とを照合し、その照合結果に基づきゲート装置２５を開閉制御する。【選択図】      図５
2007249819.tif 000002
【特許請求の範囲】
【請求項１】
入場を希望する入場対象エリアに向かって移動する人物が所持する個人認証用媒体に記録されている少なくとも当該人物の顔画像を当該移動する人物が前記入場対象エリアに到達する前に読取る読取手段と、
前記入場対象エリアの近傍に設けられ、当該入場対象エリアに向かって移動する人物の少なくとも顔を含む画像を取得する画像取得手段と、
前記読取手段により読取られた顔画像と前記画像取得手段により取得された顔画像とを照合することにより両顔画像の間に所定の関係が成立するか否かを判定する第１の照合手段と、
この第１の照合手段の判定結果に応じて前記入場対象エリアに設けられた入場用のゲート装置を開閉制御するゲート制御手段と、
を具備したことを特徴とする入場管理システム。
【請求項２】
前記第１の照合手段は、前記人物が前記入場対象エリアに向かって移動している間に、前記読取手段により読取られた顔画像と前記画像取得手段により取得された顔画像とを照合することにより両顔画像の間に所定の関係が成立するか否かを判定することを特徴とする請求項１記載の入場管理システム。
【請求項３】
あらかじめ特定の人物の少なくとも顔画像が登録されている特定人物登録手段と、
前記読取手段により読取られた顔画像と前記特定人物登録手段により登録された顔画像とを照合することにより両顔画像の間に所定の関係が成立するか否かを判定する第２の照合手段と、
をさらに具備したことを特徴とする請求項１記載の入場管理システム。
【請求項４】
前記第２の照合手段は、前記人物が前記入場対象エリアに向かって移動している間に、前記読取手段により読取られた顔画像と前記特定人物登録手段により登録された顔画像とを照合することにより両顔画像の間に所定の関係が成立するか否かを判定することを特徴とする請求項３記載の入場管理システム。
【請求項５】
入場を希望する入場対象エリアの近傍に設けられ、当該入場対象エリアに向かって移動する人物の少なくとも顔を含む画像を取得する画像取得手段と、
前記入場対象エリアの近傍に設けられ、前記人物が所持する個人認証用媒体に記録されている少なくとも当該人物の顔画像を読取る読取手段と、
前記画像取得手段により取得された顔画像と前記読取手段により読取られた顔画像とを照合することにより両顔画像の間に所定の関係が成立するか否かを判定する第３の照合手段と、
この第３の照合手段の判定結果に応じて前記入場対象エリアに設けられた入場用のゲート装置を開閉制御するゲート制御手段と、
を具備したことを特徴とする入場管理システム。
【請求項６】
あらかじめ特定の人物の少なくとも顔画像が登録されている特定人物登録手段と、
前記画像取得手段により取得された顔画像と前記特定人物登録手段により登録された顔画像とを照合することにより両顔画像の間に所定の関係が成立するか否かを判定する第４の照合手段と、
をさらに具備したことを特徴とする請求項５記載の入場管理システム。
【請求項７】
前記第４の照合手段は、前記人物が前記入場対象エリアに向かって移動している間に、前記画像取得手段により取得された顔画像と前記特定人物登録手段により登録された顔画像とを照合することにより両顔画像の間に所定の関係が成立するか否かを判定することを特徴とする請求項６記載の入場管理システム。
【請求項８】
前記個人認証用媒体の特定部位には、当該個人認証用媒体の所持者の個人情報として複数の文字からなる文字列が記録されており、
前記読取手段は、前記個人認証用媒体から前記文字列の少なくとも一部を読取り、この読取った文字列に基づきアクセスキーを生成し、この生成したアクセスキーを用いて当該個人認証用媒体に記録されている少なくとも当該人物の顔画像を読取ることを特徴とする請求項１または請求項５記載の入場管理システム。
【請求項９】
入場を希望する入場対象エリアに向かって移動する人物が所持する個人認証用媒体に記録されている少なくとも当該人物の顔画像を当該移動する人物が前記入場対象エリアに到達する前に読取る読取ステップと、
前記入場対象エリアの近傍において、当該入場対象エリアに向かって移動する人物の少なくとも顔を含む画像を取得する画像取得ステップと、
前記読取ステップにより読取られた顔画像と前記画像取得ステップにより取得された顔画像とを照合することにより両顔画像の間に所定の関係が成立するか否かを判定する第１の照合ステップと、
この第１の照合ステップの判定結果に応じて前記入場対象エリアに設けられた入場用のゲート装置を開閉制御するゲート制御ステップと、
を具備したことを特徴とする入場管理方法。
【請求項１０】
前記第１の照合ステップは、前記人物が前記入場対象エリアに向かって移動している間に、前記読取ステップにより読取られた顔画像と前記画像取得ステップにより取得された顔画像とを照合することにより両顔画像の間に所定の関係が成立するか否かを判定することを特徴とする請求項９記載の入場管理方法。
【請求項１１】
前記読取ステップにより読取られた顔画像とあらかじめ特定の人物の少なくとも顔画像が登録されている特定人物登録手段により登録された顔画像とを照合することにより両顔画像の間に所定の関係が成立するか否かを判定する第２の照合ステップをさらに具備したことを特徴とする請求項９記載の入場管理方法。
【請求項１２】
前記第２の照合ステップは、前記人物が前記入場対象エリアに向かって移動している間に、前記読取ステップにより読取られた顔画像と前記特定人物登録手段により登録された顔画像とを照合することにより両顔画像の間に所定の関係が成立するか否かを判定することを特徴とする請求項１１記載の入場管理方法。
【請求項１３】
入場を希望する入場対象エリアの近傍において、当該入場対象エリアに向かって移動する人物の少なくとも顔を含む画像を取得する画像取得ステップと、
前記入場対象エリアの近傍において、前記人物が所持する個人認証用媒体に記録されている少なくとも当該人物の顔画像を読取る読取ステップと、
前記画像取得ステップにより取得された顔画像と前記読取ステップにより読取られた顔画像とを照合することにより両顔画像の間に所定の関係が成立するか否かを判定する第３の照合ステップと、
この第３の照合ステップの判定結果に応じて前記入場対象エリアに設けられた入場用のゲート装置を開閉制御するゲート制御ステップと、
を具備したことを特徴とする入場管理方法。
【請求項１４】
前記画像取得ステップにより取得された顔画像とあらかじめ特定の人物の少なくとも顔画像が登録されている特定人物登録手段により登録された顔画像とを照合することにより両顔画像の間に所定の関係が成立するか否かを判定する第４の照合ステップをさらに具備したことを特徴とする請求項１３記載の入場管理方法。
【請求項１５】
前記第４の照合ステップは、前記人物が前記入場対象エリアに向かって移動している間に、前記画像取得ステップにより取得された顔画像と前記特定人物登録手段により登録された顔画像とを照合することにより両顔画像の間に所定の関係が成立するか否かを判定することを特徴とする請求項１４記載の入場管理方法。
【発明の詳細な説明】
【技術分野】
【０００１】
本発明は、たとえば、所持者の生体情報として顔画像を記録したＩＣチップを内蔵した旅券（パスポート）を使用して出入国（出帰国）審査を自動的に行ない、審査に合格した場合に入場を許可する自動審査システムとして好適な入場管理システムおよび入場管理方法に関する。
【背景技術】
【０００２】
たとえば、冊子型やカード型の各種免許証、各種証明書、あるいは旅券（パスポート）などのように、所持者の顔画像や人定事項（個人情報）を印刷面に印刷する個人認証用媒体がある。それらの個人認証用媒体のうち、特に旅券では、偽変造対策と本人確認の迅速化のため、旅券にＩＣチップを内蔵させ、そのＩＣチップに人定事項の文字情報や顔画像などの生体情報（バイオメトリクス情報）を記録することが計画されている。また、ＩＣチップに記録された生体情報を使用して、旅券を使用した本人確認を機械化、自動化して省力化を推進しようとの計画もある（たとえば、特許文献１、特許文献２参照）。
【０００３】
また、本人確認の自動審査を行なう際に、審査リスト（ブラックリスト）に登録された顔画像と一致するかどうかをチェックして、不審者が入場などしないようにすることが検討されている。
【特許文献１】特開２００２−２１５４号公報
【特許文献２】特開２０００−３３１２０７号公報
【発明の開示】
【発明が解決しようとする課題】
【０００４】
自動審査システムで顔照合技術を利用して本人確認と審査リストチェックを行なうことにより、審査は格段に向上するが、現在検討されているシステムでは以下のような問題点がある。  
自動審査の際に旅券のＩＣチップから顔画像を読取り、顔照合技術を用いて本人照合するが、従来、審査官が本人確認していた場合に比較して１件あたりの時間がかかりすぎる。  
自動審査の際に顔画像を利用して審査リストのチェックを行なうが、対象となる審査リストの登録件数が数万件以上ある場合には、当該チェックに大きな時間がかかる。  
１件あたりの処理時間が人間系審査に比較して時間がかかるため、審査の待ち時間が増大し、サービス低下を招く恐れがある。また、待ち時間を解消するために、審査ブースの増設や審査官の増員が必要となり、スペース面や費用面の課題が大きい。
【０００５】
そこで、本発明は、１件あたりの処理時間が人間系審査に比較して著しく短縮できる入場管理システムおよび入場管理方法を提供することを目的とする。
【課題を解決するための手段】
【０００６】
本発明の入場管理システムは、入場を希望する入場対象エリアに向かって移動する人物が所持する個人認証用媒体に記録されている少なくとも当該人物の顔画像を当該移動する人物が前記入場対象エリアに到達する前に読取る読取手段と、前記入場対象エリアの近傍に設けられ、当該入場対象エリアに向かって移動する人物の少なくとも顔を含む画像を取得する画像取得手段と、前記読取手段により読取られた顔画像と前記画像取得手段により取得された顔画像とを照合することにより両顔画像の間に所定の関係が成立するか否かを判定する第１の照合手段と、この第１の照合手段の判定結果に応じて前記入場対象エリアに設けられた入場用のゲート装置を開閉制御するゲート制御手段とを具備している。
【０００７】
また、本発明の入場管理方法は、入場を希望する入場対象エリアに向かって移動する人物が所持する個人認証用媒体に記録されている少なくとも当該人物の顔画像を当該移動する人物が前記入場対象エリアに到達する前に読取る読取ステップと、前記入場対象エリアの近傍において、当該入場対象エリアに向かって移動する人物の少なくとも顔を含む画像を取得する画像取得ステップと、前記読取ステップにより読取られた顔画像と前記画像取得ステップにより取得された顔画像とを照合することにより両顔画像の間に所定の関係が成立するか否かを判定する第１の照合ステップと、この第１の照合ステップの判定結果に応じて前記入場対象エリアに設けられた入場用のゲート装置を開閉制御するゲート制御ステップとを具備している。
【発明の効果】
【０００８】
本発明によれば、対象人物が入場対象エリアに到達する前に個人認証用媒体の読取りを行ない、当該人物が入場対象エリアに向かって移動している間に顔画像を取得し照合するか、あるいは、対象人物が入場対象エリアに向かって移動している間に顔画像を取得し、当該人物が入場対象エリアに到着した際に個人認証用媒体の読取りを行ない照合することで、１件あたりの処理時間が人間系審査に比較して著しく短縮でき、よって審査の待ち時間が減少し、サービス向上が図れる入場管理システムおよび入場管理方法を提供できる。
【発明を実施するための最良の形態】
【０００９】
以下、本発明の実施の形態について図面を参照して説明する。  
なお、以下の説明では、入場対象エリアへの入場管理として、たとえば、空港における出入国審査に対する適用を代表的な例として説明する。
【００１０】
まず、第１の実施の形態について説明する。  
図１（ａ）は、本発明に係る個人認証用媒体としての旅券（パスポート）の一例を示すものである。本発明に係る旅券１１は、たとえば、通帳状の形態をしたもので、２つの表紙１２，１３の間に複数枚の中紙１４を綴じて構成されている。そして、たとえば、一方の表紙１３内には、メモリ媒体としてのＩＣチップ１５が埋設されている。
【００１１】
ここに、ＩＣチップ１５は、後述する読取装置との間で無線で通信を行なうことによりデータの送受信を行なう非接触式であっても、あるいは、後述する読取装置との間でコンタクト部を介して接触状態で通信を行なうことによりデータの送受信を行なう接触式であってもよいが、利便性の面から考えると接触式の方が好ましい。なお、ＩＣチップ１５は、他方の表紙１２あるいは中紙１４中に埋設されていてもよい。
【００１２】
また、たとえば、他方の表紙１３の内側は印刷面１６となっていて、この印刷面１６には、図１（ｂ）に示すように、所持者の顔画像（顔写真）１７、ＩＤ番号、氏名、生年月日、性別、発行年月日、有効期限、署名などの個人情報（券面情報）１８、および、例えば個人情報１８をコード化した英文字と数字とからなる２列の文字列１９などがそれぞれ印刷されている。なお、券面情報１８の内容は個人認証用媒体の種類によって異なる。また、必要に応じて、カラー印刷や両面印刷を実施することもできる。
【００１３】
図２は、旅券１１に内蔵されたＩＣチップ１５の記録情報例を示すものである。ＩＤ番号は、当該旅券１１の発行管理番号にあたり、通常はシリアルでユニークな番号が付与される。  
発行者が記録する情報には、国籍、氏名、生年月日、性別、発行年月日、有効期限、顔画像、電子署名、公開鍵証明書があり、これらのうち国籍、氏名、生年月日、性別は、当該旅券１１の所持者の個人情報である。発行年月日は、当該旅券１１を発行した日である。有効期限は、当該旅券１１が有効な年月日であり、通常は発行年月日から３年、５年あるいは１０年といった期限である。顔画像は、当該旅券１１の印刷面１６に印刷した顔画像１７と同一の画像である。電子署名は、たとえば、情報の正当性や完全性を保証するための情報で、上記ＩＤ番号から顔画像までのデータの圧縮情報（ハッシュ情報）を秘密鍵で暗号化した情報である。公開鍵証明書は、電子署名を作成した際に使用した秘密鍵とペアになる公開鍵に対する証明書である。
【００１４】
図３は、第１の実施の形態に係る入場管理システムの構成を模式的に示すものである。第１の実施の形態は、事前に旅券１１の読取りを行なってから、入場対象エリアに向かって入場者Ｍが移動する間に顔画像を取得する場合の構成例である。
【００１５】
図３において、空港内の例えばチェックインカウンタには、搭乗待合室（入場対象エリア）に入場を希望する人物（以降、入場者ともいう）Ｍが提示する旅券１１に対し読取り処理を行なう読取手段としての読取装置２１が設置されている。
【００１６】
読取装置２１は、入場者Ｍが提示する旅券１１から、印刷面１６の文字列１９を光学的に読取るとともにＩＣチップ１５の記録情報を例えば非接触で読取るもので、ＯＣＲ（光学式文字読取装置）付きＩＣリーダライタにより構成されている。  
なお、読取装置２１の設置場所は、事前に旅券１１の読取りを行なえる場所であればよく、チェックインカウンタに限定されない。
【００１７】
読取装置２１により旅券１１から読取られた情報は、ＬＡＮなどの通信回線２２を介して、照合手段およびゲート制御手段としての審査装置２３へ送られ、そこに一時保存される。  
空港内の搭乗待合室（入場対象エリア）２４に連絡する搭乗口（入場口）には、ゲート装置２５が設置されているとともに、このゲート装置２５の近傍には審査装置２３が設置されている。
【００１８】
審査装置２３は、ゲート装置２５に向かって移動してくる入場者Ｍの顔画像を取得し、後述する審査サーバ３０内の審査リストとの顔照合や、読取装置２１からの顔画像と入場者Ｍから取得した顔画像との照合などを行ない、その結果に応じてゲート装置２５を開閉制御するとともに、旅券１１のＩＣチップ１５から読取った電子署名の検証処理を行なう。
【００１９】
審査装置２３は、ゲート装置２５に向かって移動してくる入場者Ｍの少なくとも顔を含む画像を取得する画像取得手段としてのビデオカメラ（以後、単にカメラと称す）２６、審査結果などを表示する表示器２７、および、入場者Ｍに対し各種警報を出力する警報装置２８をそれぞれ備えている。カメラ２６は、たとえば、ゲート装置２５の近傍に設置されている。
【００２０】
審査装置２３は、ＬＡＮなどの通信回線２９を介して、特定人物登録手段としての審査サーバ３０に接続されている。審査サーバ３０は、特定の人物の個人情報が登録された審査リスト（ブラックリスト）や審査履歴などを格納（記憶）するコンピュータである。
【００２１】
図４は、審査サーバ３０に格納された審査リストの情報例を示すものである。国籍、氏名、生年月日、性別は、当該審査リストに登録された人物の個人情報である。顔画像は、当該審査リストに登録された人物の顔画像である。審査リストは、通常はブラックリストと呼ばれる制限人物リストであり、このリストに登録された人物は審査を許可しない。その結果、入場（例えば入出国）を許可しないなどの措置をとるためのものである。
【００２２】
図５は、第１の実施の形態に係る処理、すなわち、事前に読取装置２１により旅券１１の読取りを行なってから、入場対象エリアである搭乗待合室２４（審査装置２３）に向かって入場者Ｍが移動する間に顔画像を取得する場合の処理の流れを示すフローチャートであり、以下、このフローチャートを参照して処理の流れを説明する。
【００２３】
まず、入場者Ｍは、読取装置２１において、所持する旅券１１の印刷面１６を読取部に翳すことで、読取装置２１はＩＣチップ１５内の情報を非接触で読取る（ステップＳ１）。すなわち、たとえば、印刷面１６に印刷された文字列１９の一部（たとえば、文字列１９の一列部分だけ）を光学的に読取り、この読取結果に対し所定の演算を行なうことでアクセスキーを生成し、この生成したアクセスキーをキーとしてＩＣチップ１５内の情報を読出す。
【００２４】
読取装置２１は、旅券１１のＩＣチップ１５から読取った情報を審査装置２３に送信する（ステップＳ２）。審査装置２３は、当該入場者Ｍが読取装置２１からゲート装置２５へ向かって移動している間に、ＩＣチップ１５から読取った情報に基づき、審査サーバ３０内の審査リストを検索することで、ＩＣチップ１５から読取った情報内の少なくとも顔画像と一致する顔画像が存在するか否かを判定する（ステップＳ３）。
【００２５】
次に、審査装置２３は、ゲート装置２５に向かって移動している入場者Ｍの顔画像をカメラ２６で撮像する（ステップＳ４）。次に、審査装置２３は、カメラ２６で撮像した顔画像とＩＣチップ１５から読取った情報内の顔画像とを照合し、両顔画像の間に所定の関係が成立するか否か、この例では両顔画像が一致するか否かを判定する（ステップＳ５）。
【００２６】
次に、審査装置２３は、ＩＣチップ１５から読取った情報内の公開鍵証明書を用いてＩＣチップ１５から読取った情報内の電子署名が正しいか否かを検証する（ステップＳ６）。次に、審査装置２３は、ステップＳ３，Ｓ５，Ｓ６における各審査結果を表示器２７に表示し、入場者Ｍに対し提示する（ステップＳ７）。
【００２７】
以上のステップＳ３〜Ｓ７の処理を入場者Ｍが読取装置２１からゲート装置２５に向かって移動している間に実施する。
【００２８】
ステップＳ３，Ｓ５，Ｓ６における各審査結果がＯＫだった場合、すなわち、ステップＳ３における判定の結果、ＩＣチップ１５から読取った情報内の顔画像と一致する顔画像が存在せず、ステップＳ５における判定の結果、カメラ２６で撮像した顔画像とＩＣチップ１５から読取った情報内の顔画像とが一致し、さらに、ステップＳ６における検証の結果、ＩＣチップ１５から読取った情報内の電子署名が正しい場合、審査装置２３は、ゲート装置２５のゲートを開くことで通行を許可し、搭乗待合室２４へ当該入場者Ｍを誘導し（ステップＳ８）、ステップＳ９に進む。
【００２９】
ステップＳ３，Ｓ５，Ｓ６における各審査結果のいずれかがＮＧだった場合、すなわち、ステップＳ３における判定の結果、ＩＣチップ１５から読取った情報内の顔画像と一致する顔画像が存在した場合、あるいは、ステップＳ５における判定の結果、カメラ２６で撮像した顔画像とＩＣチップ１５から読取った情報内の顔画像とが一致しない場合、あるいは、ステップＳ６における検証の結果、ＩＣチップ１５から読取った情報内の電子署名が正しくない場合、審査装置２３は、ゲート装置２５のゲートを閉鎖して通行を阻止し（ステップＳ１０）、警報装置２８を鳴動させて不正入場者を威嚇するとともに、有人審査を実施している審査ブースへ誘導する案内情報を表示器２７に表示することで、当該入場者Ｍを審査ブースへ誘導し（ステップＳ１１）、ステップＳ９に進む。審査ブースでは、別の人間系審査を実施する。
【００３０】
ステップＳ９では、審査サーバ３０へ当該審査に係る審査履歴を記録し、当該審査の処理を全て終了する。
【００３１】
次に、第２の実施の形態について説明する。  
図６は、第２の実施の形態に係る入場管理システムの構成を模式的に示すものである。第２の実施の形態は、入場対象エリアである搭乗待合室２４（審査装置２３）に向かって入場者Ｍが移動する間に顔画像を取得し、当該入場者Ｍが審査装置２３に到着した際に旅券１１の読取りを行なう場合の構成例であり、前述した第１の実施の形態と異なる点は、チェックインカウンタに設置されていた読取装置２１を審査装置２３と一体化した点にあり、その他は第１の実施の形態と同一であるので、説明は省略する。
【００３２】
図７は、第２の実施の形態に係る処理、すなわち、入場対象エリアである搭乗待合室２４（審査装置２３）に向かって入場者Ｍが移動する間に顔画像を取得し、当該入場者Ｍが審査装置２３に到着した際に旅券１１の読取りを行なう場合の処理の流れを示すフローチャートであり、以下、このフローチャートを参照して処理の流れを説明する。
【００３３】
まず、審査装置２３は、ゲート装置２５に向かって移動している入場者Ｍの顔画像をカメラ２６で撮像する（ステップＳ２１）。次に、審査装置２３は、当該入場者Ｍがゲート装置２５へ向かって移動している間に、審査サーバ３０内の審査リストを検索することで、カメラ２６で撮像した顔画像と一致する顔画像が存在するか否かを判定する（ステップＳ２２）。
【００３４】
入場者Ｍは、審査装置２３に到着すると、読取装置２１において、所持する旅券１１の印刷面１６を読取部に翳すことで、読取装置２１はＩＣチップ１５内の情報を非接触で読取る（ステップＳ２３）。すなわち、たとえば、印刷面１６に印刷された文字列１９の一部（たとえば、文字列１９の一列部分だけ）を光学的に読取り、この読取結果に対し所定の演算を行なうことでアクセスキーを生成し、この生成したアクセスキーをキーとしてＩＣチップ１５内の情報を読出す。
【００３５】
次に、審査装置２３は、カメラ２６で撮像した顔画像と旅券１１のＩＣチップ１５から読取った情報内の顔画像とを照合し、両顔画像の間に所定の関係が成立するか否か、この例では両顔画像が一致するか否かを判定する（ステップＳ２４）。
【００３６】
次に、審査装置２３は、ＩＣチップ１５から読取った情報内の公開鍵証明書を用いてＩＣチップ１５から読取った情報内の電子署名が正しいか否かを検証する（ステップＳ２５）。次に、審査装置２３は、ステップＳ２２，Ｓ２４，Ｓ２５における各審査結果を表示器２７に表示し、入場者Ｍに対し提示する（ステップＳ２６）。
【００３７】
ステップＳ２２，Ｓ２４，Ｓ２５における各審査結果がＯＫだった場合、すなわち、ステップＳ２２における判定の結果、カメラ２６で撮像した顔画像と一致する顔画像が存在せず、ステップＳ２４における判定の結果、カメラ２６で撮像した顔画像とＩＣチップ１５から読取った情報内の顔画像とが一致し、さらに、ステップＳ２５における検証の結果、ＩＣチップ１５から読取った情報内の電子署名が正しい場合、審査装置２３は、ゲート装置２５のゲートを開くことで通行を許可し、搭乗待合室２４へ当該入場者Ｍを誘導し（ステップＳ２７）、ステップＳ２８に進む。
【００３８】
ステップＳ２２，Ｓ２４，Ｓ２５における各審査結果のいずれかがＮＧだった場合、すなわち、ステップＳ２２における判定の結果、カメラ２６で撮像した顔画像と一致する顔画像が存在した場合、あるいは、ステップＳ２４における判定の結果、カメラ２６で撮像した顔画像とＩＣチップ１５から読取った情報内の顔画像とが一致しない場合、あるいは、ステップＳ２５における検証の結果、ＩＣチップ１５から読取った情報内の電子署名が正しくない場合、審査装置２３は、ゲート装置２５のゲートを閉鎖して通行を阻止し（ステップＳ２９）、警報装置２８を鳴動させて不正入場者を威嚇するとともに、有人審査を実施している審査ブースへ誘導する案内情報を表示器２７に表示することで、当該入場者Ｍを審査ブースへ誘導し（ステップＳ３０）、ステップＳ２８に進む。審査ブースでは、別の人間系審査を実施する。
【００３９】
ステップＳ２８では、審査サーバ３０へ当該審査に係る審査履歴を記録し、当該審査の処理を全て終了する。
【００４０】
以上説明したように、上記実施の形態によれば、入場者が入場対象エリアに到達する前に旅券の読取りを行ない、当該入場者が入場対象エリアに向かって移動している間に顔画像を取得し照合することで、入場者が審査装置の前に静止して立たなくでも審査装置に向かって移動している間に顔画像を取得して照合することができるので、従来のように審査官が本人確認していた場合に比較して、１件あたりの処理時間が人間系審査に比較して著しく短縮できる。したがって、審査の待ち時間が減少し、サービス向上が図れる。
【００４１】
また、入場者が入場対象エリアに向かって移動している間に顔画像を取得し、当該入場者が入場対象エリアに到着した際に旅券の読取りを行ない照合することで、入場者が審査装置の前に静止して立たなくでも審査装置に向かって移動している間に顔画像を取得することができるので、従来のように審査官が本人確認していた場合に比較して、１件あたりの処理時間が人間系審査に比較して著しく短縮できる。したがって、審査の待ち時間が減少し、サービス向上が図れる。
【００４２】
さらに、入場者が入場対象エリアに向かって移動している間に顔画像を利用して審査リストのチェックを行なうことで、対象となる審査リストの登録件数が多い場合でも、入場者の移動中（歩行中）に並行して審査リストのチェックを行なうことができ、見かけ上はこのチェックに時間がかかっていないこととなる。したがって、より一層、１件あたりの処理時間が短縮できる。
【図面の簡単な説明】
【００４３】
【図１】本発明に係る個人認証用媒体としての旅券の構成例を示すもので、（ａ）図は開いた状態で示す斜視図、（ｂ）図は印刷面の印刷内容を示す図。
【図２】旅券に内蔵されたＩＣチップの記録情報例を示す図。
【図３】本発明の第１の実施の形態に係る入場管理システムの構成を概略的に示す模式図。
【図４】審査リストの情報例を示す図。
【図５】第１の実施の形態に係る処理の流れを示すフローチャート。
【図６】本発明の第２の実施の形態に係る入場管理システムの構成を概略的に示す模式図。
【図７】第２の実施の形態に係る処理の流れを示すフローチャート。
【符号の説明】
【００４４】
１１…旅券（個人認証用媒体）、１５…ＩＣチップ（メモリ媒体）、１９…文字列（個人情報）、１７…顔画像、Ｍ…人物（入場者）、２１…読取装置（読取手段）、２３…審査装置（照合手段、ゲート制御手段手段）、２４…搭乗待合室（入場対象エリア）、２５…ゲート装置、２６…ビデオカメラ（画像取得手段）、３０…審査サーバ（特定人物登録手段）。
【図１】
2007249819.tif 000003
【図２】
2007249819.tif 000004
【図３】
2007249819.tif 000005
【図４】
2007249819.tif 000006
【図５】
2007249819.tif 000007
【図６】
2007249819.tif 000008
【図７】
2007249819.tif 000009